(57)【要約】【課題】電気バリカンの構造の提供。【解決手段】一種の電気バリカンの構造である。その本体前端に設置されたカッターユニットが、固定刃と可動刃の設置されたスライド台との組合せからなり、その固定刃はスライド台外部の適当な位置に固定され、可動刃と上下に重なる。スライド台は本体内部のモーターにより駆動され、可動刃と固定刃を交錯して動かすものである。その特徴は、その固定刃と可動刃の前端に三角の鋸歯状の刃部を形成し、且つ刃部内面の各鋸歯の適当な位置に、連続したノッチが設けられていることにある。それにより、使用時、固定刃のノッチと可動刃のノッチが互いに向かい合う時に、髪の毛を入れ置く一時的な空間を形成し、カット時、髪の毛が滑ってカットの効果に影響を与えることを防止できる。【選択図】図３
0003121976.tif 000002
【実用新案登録請求の範囲】
【請求項１】
一種電気バリカンの構造において、本体の前端にカッターユニットを設置し、当該カッターユニットは固定刃と可動刃を設置したスライド台からなり、その固定刃はスライド台外部の適当な位置に固定され、可動刃と上下の重なりを形成し、スライド台は本体内部のモーターにより駆動され、可動刃と固定刃に左右交錯する動きを形成し、その特徴は、その固定刃と可動刃の前端に三角の鋸歯状の刃部が形成され、且つ刃部内面の各鋸歯内側の適当な位置に全て連続したノッチを設けていることを特徴とする電気バリカンの構造。
【請求項２】
請求項１記載の電気バリカンの構造において、当該連続したノッチを半円形とすることを特徴とする電気バリカンの構造。
【請求項３】
請求項１記載の電気バリカンの構造において、当該連続したノッチを三角形とすることを特徴とする電気バリカンの構造。
【請求項４】
請求項１記載の電気バリカンの構造において、当該連続したノッチを長方形とすることを特徴とする電気バリカンの構造。
【考案の詳細な説明】
【技術分野】
【０００１】
本考案は電気バリカンの構造に関するもので、特に髪の毛のカット時に使用すると、髪の毛が滑ってカットの効果に影響するのが避けられる、カッターユニットの構造を指す。
【背景技術】
【０００２】
現在、一般の理髪店では、特に長めの髪の毛をカットする際、多くが電気バリカンを使用して客の理髪を行っており、市販の多くの電気バリカンは前端に適当なカッターユニットが設置され、且つそのカッターユニットはそれぞれ固定刃と可動刃からなっている。そのうち、可動刃はスライド台内部の連動パーツと連接され、固定刃はスライド台の適当な位置に設置されている。また可動刃は固定刃と上下層に重なった型式を形成して、可動刃と固定刃の前端は三角の鋸歯状の刃部とする。それは可動刃が左右にスライドし、互いに交錯するのを利用し、多くの小はさみのような形態を形成して、髪の毛のカット作業を行っている。しかし、図１のように、理髪師が電気バリカンaでカットする時、その刃部a1が長い毛bに当たると、長い毛bは比較的動きやすくて、且つ刃部a1の開口が外向きで、また直線状であるため、カット速度が比較的速いと、刃部a1に進入した髪の毛bは、時々刃部の輪郭に沿って外へ押し出され、カットの効果やスピードに大きな影響を与える。理髪師はカットのスピードがコントロールしにくいため、改良を加える必要がある。
【考案の開示】
【考案が解決しようとする課題】
【０００３】
本考案の主要目的は、使用に便利であるだけでなく、且つカットする時、髪の毛が滑ってカット効果に影響を与えるのを避けることができる、カッターユニットの刃の構造を提供することである。
【０００４】
本考案は、本体の前端にカッターユニットを設置し、そのカッターユニットは固定刃と可動刃を設置したスライド台からなる。その固定刃はスライド台外部の適当な位置に固定され、可動刃と上下の重なりを形成する。スライド台は本体内部のモーターにより駆動され、可動刃と固定刃に左右交錯する動きを形成する。
【０００５】
その中で、その固定刃と可動刃の前端には三角の鋸歯状の刃部が形成され、且つ固定刃と可動刃の刃部は、各鋸歯内側の適当な位置に、全て連続したノッチが設けられ、それらノッチの形状は半円形、三角形、或いは長方形等とすることができる。
【０００６】
上記の構造に基づいたものを使用する時、その可動刃は絶え間なく固定刃と交錯して動き、相対する側の固定刃のノッチと可動刃のノッチが互いに合わさる時、髪の毛を一時的に入れ置く空間を形成する。理髪師が電気バリカンで更にカットしようとする時、髪の毛はカッターユニットから滑らず、刃が交錯する短時間の間にカットを終える。使用に便利なだけでなく、カットの効果も従来のカット用具より良く、競争力を有する製品と言える。
【課題を解決するための手段】
【０００７】
請求項１の考案は、一種電気バリカンの構造において、本体の前端にカッターユニットを設置し、当該カッターユニットは固定刃と可動刃を設置したスライド台からなり、その固定刃はスライド台外部の適当な位置に固定され、可動刃と上下の重なりを形成し、スライド台は本体内部のモーターにより駆動され、可動刃と固定刃に左右交錯する動きを形成し、その特徴は、その固定刃と可動刃の前端に三角の鋸歯状の刃部が形成され、且つ刃部内面の各鋸歯内側の適当な位置に全て連続したノッチを設けていることを特徴とする電気バリカンの構造としている。
請求項２の考案は、請求項１記載の電気バリカンの構造において、当該連続したノッチを半円形とすることを特徴とする電気バリカンの構造としている。
請求項３の考案は、請求項１記載の電気バリカンの構造において、当該連続したノッチを三角形とすることを特徴とする電気バリカンの構造としている。
請求項４の考案は、請求項１記載の電気バリカンの構造において、当該連続したノッチを長方形とすることを特徴とする電気バリカンの構造としている。
【考案の効果】
【０００８】
本考案は、そのカッターユニットの刃部が連続するノッチを有し、髪の毛をカットする時、一時髪の毛を入れ置く空間を形成する。それは使用に便利なだけでなく、且つカットする時、髪の毛が滑ってカット効果に影響するのを避けることができる。
【考案を実施するための最良の形態】
【０００９】
図２から図６を参照のこと。本考案は本体10の前端にカッターユニット20が設置され、そのカッターユニット20は固定刃21と可動刃22が設置されたスライド台23からなり、その固定刃21はスライド台23外部の適当な位置に固定されている。そして可動刃22と上下の重なりを形成し、スライド台23は本体10内部のモーター11により駆動され、可動刃22と固定刃21が左右に交錯する動きを形成する。その中で固定刃21と可動刃22の前端には、三角の鋸歯状の刃部21a、22aが形成され、且つ固定刃21と可動刃22の刃部21a、22aの各鋸歯内側の適当な位置に全て連続したノッチ21b、22bが設けられている。当該ノッチ21b、22bの形状は半円形、三角形、或いは長方形等とすることができる。
【００１０】
図７は本考案の使用説明図で、それを使用する時、可動刃22と固定刃21が交錯運動すると同時に、髪の毛2がカッターユニット20の刃部21a、22aに進入し、二つの刃が相対する刃部21a、22aのノッチ21b、22bが形成する空間に一時的に保存される。その髪の毛2が刃部21a、22aの縁から前へ滑って逃げることがなくなる。
【図面の簡単な説明】
【００１１】
【図１】周知の電気バリカンの使用説明図である。
【図２】本考案の立体構造図である。
【図３】本考案のカッターユニットの構造図である。
【図４】本考案のカッターユニットの拡大図(一)である。
【図５】本考案のカッターユニットの拡大図(二)である。
【図６】本考案のカッターユニットの拡大図(三)である。
【図７】本考案の使用説明図である。
【符号の説明】
【００１２】
2    髪の毛         10    本体
11    モーター      20    カッターユニット
21    固定刃        22    可動刃
23    スライド台    21a、22a    刃部
21b、22b    ノッチ
【図１】
0003121976.tif 000003
【図２】
0003121976.tif 000004
【図３】
0003121976.tif 000005
【図４】
0003121976.tif 000006
【図５】
0003121976.tif 000007
【図６】
0003121976.tif 000008
【図７】
0003121976.tif 000009